(57)【要約】【課題】撮像装置において、ケースに対するレンズ鏡筒の回転を抑制し、撮像された画像が回転した画像となってしまうことを防止する。【解決手段】撮像装置において、撮像部を搭載する基板と、レンズを保持するレンズ鏡筒と、前記レンズ鏡筒、及び前記基板を覆うよう配置されたケースと、を備え、前記レンズ鏡筒と前記ケースとが径嵌合し、前記レンズ鏡筒と前記ケースとは、互いに光軸方向に対する回転を規制する回転規制部を備える構成とする。【選択図】図６
2018173433.tif 000002
【特許請求の範囲】
【請求項１】
撮像部を搭載する基板と、
レンズを保持するレンズ鏡筒と、
前記レンズ鏡筒、及び前記基板を覆うよう配置されたケースと、を備え、
前記レンズ鏡筒と前記ケースとが径嵌合し、
前記レンズ鏡筒と前記ケースとは、互いに光軸方向に対する回転を規制する回転規制部を備える、
撮像装置。
【請求項２】
前記ケースは、開口部を有しており、
前記レンズ鏡筒は、前記ケースの開口部で嵌合している、
請求項１に記載の撮像装置。
【請求項３】
径方向において、前記レンズ鏡筒と前記ケースとの間に配置された防水シールをさらに備える、
請求項２に記載の撮像装置。
【請求項４】
前記回転規制部は、
前記レンズ鏡筒と前記ケースとのいずれか一方が有する突起部と、
前記突起部の光軸に対する回転方向の移動を規制する、前記レンズ鏡筒と前記ケースとのいずれか他方が有する当接部と、を含む、
請求項２または請求項３に記載の撮像装置。
【請求項５】
前記突起部は円筒状である、
請求項４に記載の撮像装置。
【請求項６】
光軸に垂直な平面視において、前記レンズ鏡筒と前記ケースの開口部の嵌合位置の中心と、前記突起部の中心とを結んだ直線に垂直な、前記突起部の中心から延びる直線が前記当接部と接する２点において、前記突起部と前記当接部とが接する、
請求項５に記載の撮像装置。
【発明の詳細な説明】
【技術分野】
【０００１】
本発明の一態様は、撮像装置等に関する。
【背景技術】
【０００２】
レンズ鏡筒と、撮像素子が搭載された基板とがケースに収容された撮像装置では、光軸位置の精度を高めるため、ケースに対するレンズ鏡筒の位置を精度良く固定する必要がある。このように、ケースに対してレンズ鏡筒を固定する構成として、特許文献１には、フロントケースに設けられた開口部に、レンズバレルが嵌合された構成を採用している。
【先行技術文献】
【特許文献】
【０００３】
【特許文献１】特開２０１１−１６４４６１号公報
【発明の概要】
【発明が解決しようとする課題】
【０００４】
車載カメラなど、近年の撮像装置では、従来より精度良く光軸の位置を調整することが要求されている。しかし、従来のように、単にケースとレンズ鏡筒とを嵌合することで位置固定する構成では、回転方向の位置固定がなされておらず、撮影された画像では、光軸の中心は一致しているものの、回転してしまった画像となることがあった。
【課題を解決するための手段】
【０００５】
本発明は、上記の課題などを解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
撮像部を搭載する基板（４１、４２）と、
レンズを保持するレンズ鏡筒（３）と、
前記レンズ鏡筒、及び前記基板を覆うよう配置されたケース（１、８）と、を備え、
前記レンズ鏡筒と前記ケースとが径嵌合し、
前記レンズ鏡筒と前記ケースとは、互いに光軸方向に対する回転を規制する回転規制部（１ａ、３ｃ）を備える、
撮像装置である。
【０００７】
上記構成の撮像装置では、回転規制部により、ケースに対してレンズ鏡筒が光軸に対して回転することを防止する構成とすることができる。これにより、撮像部で撮像された画像が、回転した画像となってしまうことを防止することができる。
【０００８】
上記撮像装置において、好ましくは、
前記ケースは、開口部を有しており、
前記レンズ鏡筒は、前記ケースの開口部で嵌合している。
【０００９】
上記構成の撮像装置によれば、ケースの開口部において、ケースがレンズ鏡筒と嵌合する構成としたことで、ケースとレンズ鏡筒との回転方向のずれのみでなく、光軸に垂直な方向の位置ずれの発生を効果的に抑制可能な構成とすることができる。
【００１０】
上記撮像装置において、好ましくは、
径方向における前記レンズ鏡筒と前記ケースとの間であって、前記開口部近傍に配置された防水シール（２）をさらに備える。
【００１１】
上記構成の撮像装置によれば、防止シールの圧縮率を略均等にすることが可能となり、優れた防水性能を得ることができる。
【００１２】
上記撮像装置において、好ましくは、
前記回転規制部は、
前記レンズ鏡筒と前記ケースとのいずれか一方が有する突起部（１ｂ）と、
前記突起部の光軸に対する回転方向の移動を規制する、前記レンズ鏡筒と前記ケースとのいずれか他方が有する当接部（３ｃ）と、を含む。
【００１３】
上記構成の撮像装置によれば、突起部と当接部との簡易な構成によって、ケースに対してレンズ鏡筒が回転することを防止する構成にすることができる。
【００１４】
上記撮像装置において、好ましくは、
前記突起部（１ａ）は円筒状である。
【００１５】
上記構成の撮像装置によれば、突起部と当接部とが安定的に当接する構成とすることができるため、ケースに対するレンズ鏡筒の回転を抑制しやすい構成にすることができる。
【００１６】
上記撮像装置において、好ましくは、
光軸に垂直な平面視において、前記レンズ鏡筒と前記ケースの開口部の嵌合位置の中心と、前記突起部の中心とを結んだ直線に垂直な、前記突起部の中心から延びる直線が前記当接部と接する２点において、前記突起部（１ａ）と前記当接部（３ｃ）とが接する。
【００１７】
上記構成の撮像装置によれば、円筒状の突起部と当接部との簡易な構成で、ケースに対してレンズ鏡筒が回転することを高精度に規制することができる。
【図面の簡単な説明】
【００１８】
【図１】図１は、実施形態の撮像装置をフロント側から見た外観斜視図である。
【図２】図２は、実施形態の撮像装置をリア側から見た外観斜視図である。
【図３】図３は、実施形態の撮像装置をフロント側から見た分解斜視図である。
【図４】図４は、実施形態の撮像装置をリア側から見た分解斜視図である。
【図５】図５は、実施形態の撮像装置の断面図である。
【図６】図６は、実施形態のフロントケースとレンズ鏡筒とを連結させた状態をリア側から見た平面図である。
【発明を実施するための形態】
【００１９】
本発明の撮像装置は、フロントケースに対してレンズ鏡筒が光軸に垂直な平面で回転することを防止するための回転規制部を備える構成としている点を特徴の一つとしている。
【００２０】
なお、本明細書では、レンズの中心位置であって、撮像素子に入射する光の中心位置を「光軸」と称する。レンズに対して撮像素子とは反対側に位置する撮像対象を「被写体」と称する。撮像素子に対して被写体が位置する方向を「フロント側」または「光軸方向前方」と称し、被写体に対して撮像素子が位置する方向を「リア側」または「光軸方向後方」と称する。
【００２１】
本発明に係る実施形態について、以下の構成に従って説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．補足事項
【００２２】
＜１．実施形態＞
本発明の実施形態について、図面を参照しながら説明する。図１及び図２は、本実施形態の撮像装置の外観斜視図であり、図１はフロント側から見た図、図２はリア側から見た図である。図３及び図４は、本実施形態の撮像装置の分解斜視図であり、図３はフロント側から見た図、図４はリア側から見た図である。図５は、本実施形態の撮像装置の断面図である。図６は、本実施形態の撮像装置において、フロントケースとレンズ鏡筒とを連結させた状態をリア側から見た平面図である
【００２３】
図１〜図６に示されるように、本実施形態の撮像装置は、フロントケース１、防水シール２、レンズ鏡筒３、第１基板４１、第２基板４２、シールドプレート６、防水シール７、リアケース８、コネクタ９、並びに連結具５１、５２、及び５３を含んで構成される。
【００２４】
＜フロントケース１＞
フロントケース１は、リアケース８と共に撮像装置の筐体（ケース）を形成する部材であって、樹脂などで形成される。フロントケース１は、光軸方向前方に、光軸を中心とする開口部を有し、光軸方向後方はリアケース８と連結可能に開放されており、光軸を覆うように、略矩形状の側面を有している。フロントケース１とリアケース８とが連結されることで、レンズ鏡筒３、第１基板４１、及び第２基板４２などを収容する空間が形成される。図１に示されるように、フロントケース１の光軸方向前方の開口部には、レンズ鏡筒３により保持されたレンズ３ａが位置する。フロントケース１とレンズ鏡筒３とは、フロントケース１の開口部となる、図５の「Ｂ」の位置で当接することで径嵌合している。
【００２５】
＜突起部１ａ＞
図４及び図６に示されるように、フロントケース１は、光軸方向後方に軸状に突出した突起部１ａを有する。突起部１ａは円筒状である。突起部１ａは、組み立て状態において、その外周がレンズフランジ３ｂの切欠部３ｃに当接する。
【００２６】
＜リアケース８＞
リアケース８は、上記のように、フロントケース１と連結されることで、レンズ鏡筒３、第１基板４１、及び第２基板４２などを収容する空間を形成する。リアケース８は、光軸に対して略垂直な面を有する板状の部材である。リアケース８は、光軸方向後方に開口部を有する。リアケース８の開口部には、コネクタ９の突出部が挿入される。リアケース８は、連結具５２によりフロントケース１と連結され、連結具５３によりコネクタ９と連結される。
【００２７】
＜防水シール２＞
防水シール２は、ゴムなどの弾性部材により形成された円環状の部材であって、フロントケース１とレンズ鏡筒３との間に配置されることで、フロントケース１とレンズ鏡筒３とを隙間無く連結させるよう作用する。防水シール２は、レンズ鏡筒３の径方向外側であって、フロントケース１の径方向内側に配置されており（図５参照）、フロントケース１の外縁の位置に沿った円環状になっている。防止シール２は、レンズ鏡筒３とフロントケース１とが径嵌合する「Ｂ」の位置の光軸方向後方に位置であって、レンズ鏡筒３とフロントケース１との嵌合位置の近傍に配置される。
【００２８】
＜レンズ鏡筒３＞
レンズ鏡筒３は、光軸方向に伸びる円筒状の鏡筒部と、レンズフランジ３ｂとを含んで構成される。レンズ鏡筒３は、レンズ３ａを含む１以上の光学部材を保持する。レンズ鏡筒３に保持される光学部材には、レンズ３ａの他に、レンズ、スペーサ、口径板、及び光学フィルタなどが含まれる。レンズ３ａを含むレンズは、ガラスまたはプラスチック等の透過性を有する素材で形成され、光軸方向前方からの光を屈折させながら光軸方向後方に透過させる。スペーサは、光軸方向に適度な厚みを有する板状で円環状の部材であり、各レンズの光軸方向の位置を調整する。スペーサは、光軸を含む中心部に開口部を有する。口径板は、通過する光の最外位置を決める。光学フィルタは、所定の波長の光を抑制または遮蔽する。光学フィルタは、例えば、通過する赤外線を抑制する赤外線カットフィルタなどが含まれる。これらの光学部材の数は、任意に変更可能である。
【００２９】
＜レンズフランジ３ｂ＞
レンズフランジ３ｂは、レンズ鏡筒３における鏡筒部の光軸方向後方に配置された板状の部材である。レンズフランジ３ｂは、フロントケース１の突起部１ａに対向する位置に、切欠部３ｃを有する。組み立て状態において、切欠部３ｃは突起部１ａと当接し、これによって、フロントケース１に対してレンズ鏡筒３が光軸に対して回転移動することを規制する。なお、切欠部３ｃは、本発明の「当接部」の一例である。また、切欠部３ｃと突起部１ａとの組み合わせは、本発明の「回転規制部」の一例である。
【００３０】
より具体的には、切欠部３ｃは、光軸に垂直な平面において、レンズ鏡筒３とフロントケース１の開口部の嵌合位置の中心（光軸）と、突起部１ａの中心とを結んだ直線に対して垂直な直線であって、突起部１ａの中心から延びる直線が切欠部３ｃと接する２点で、突起部１ａに接している。これにより、フロントケース１に対してレンズ鏡筒３が回転することを精度良く抑制している。
【００３１】
＜第１基板４１及び第２基板４２＞
第１基板４１及び第２基板４２は、撮像素子４３を含む電子部品が搭載されたリジッド基板である。本実施形態では、第１基板４１に撮像素子４３及び電子部品が搭載され、第２基板４２には電子部品が搭載される。第１基板４１と第２基板４２とは、フレキシブル基板に搭載された導線によって、電気的に接続される。撮像素子４３により取得された電気信号は、第１基板４１及び第２基板４２に搭載された電子部品により所定の電気処理または信号処理が施された後、撮像装置の外部に画像データとして出力される。第１基板４１及び第２基板４２は、連結具５１によって、撮像装置内で位置固定される。第１基板４１及び第２基板４２は、シールドプレート６によって周囲を覆われている。
【００３２】
撮像素子４３は、照射された光を電気信号に変換する光電変換素子であり、例えばＣ−ＭＯＳセンサやＣＣＤなどであるが、これらに限定されるものではない。また、撮像装置においては、撮像素子４３以外の撮像機能を要する撮像部を採用してもよい。撮像素子は、本発明の「撮像部」の一例である。
【００３３】
＜シールドプレート６＞
シールドプレート６は、導電性を有する板状の部材により形成され、組み立てられた状態で、第１基板４１及び第２基板４２を覆うように配置される。これによって、外部から与えられる電磁ノイズをシールドプレート６によって遮断することができ、第１基板４１及び第２基板４２が電磁ノイズの影響により誤動作することなどを防止することができる。
【００３４】
＜防水シール７＞
防水シール７は、防水シール２と同様にゴムなどの弾性部材により形成された部材であって、フロントケース１とリアケース８との間に配置されることで、フロントケース１とリアケース８とを隙間無く連結させるよう作用する。防水シール７は、フロントケース１とリアケース８との連結面に対応した形状となっており、本実施形態の防水シール７は、角部が切り欠かれた矩形状となっている。
【００３５】
＜コネクタ９＞
コネクタ９は、リアケース８の光軸方向後方に配置され、連結具５３によってリアケース８と連結される。コネクタ９は、撮像装置と外部機器とを電気的に接続させつつ、撮像装置を取り付け対象の機器に対して取り付けるための取付具として利用される。コネクタ９は、第２基板４２から光軸方向後方に突出した端子４２ａと接続される。
【００３６】
本実施形態の撮像装置は、上記のように、突起部１ａと切欠部３ｃとからなる回転規制部を有する構成としていることで、フロントケース１に対してレンズ鏡筒３が光軸に対して回転することを防止することができる。これにより、撮像素子４３で撮像された画像が、回転した画像となってしまうことを防止することができる。
【００３７】
なお、回転規制部は、必ずしも突起部１ａと切欠部３ｃとからなる必要はなく、フロントケース１に対してレンズ鏡筒３の回転を規制する構成であれば、別の構成を採用可能である。例えば、レンズ鏡筒３のレンズフランジ３ｂが突起部を有し、フロントケース１が切欠部を有するような構成であっても良い。また、切欠部３ｃに代えて貫通孔または溝部を有し、貫通孔または溝部に突起部１ａが挿入される構成を採用しても良い。つまり、フロントケース１の一部とレンズ鏡筒３の一部とが、光軸に対する回転方向の双方に当接する構成を採用可能である。
【００３８】
また、本実施形態の撮像装置では、レンズ鏡筒３とフロントケース１とが、フロントケース１の開口部で径嵌合する構成としているため、レンズ鏡筒３とフロントケース１とが、光軸に垂直な方向に位置ずれを起こすことを防止することができる。
【００３９】
また、本実施形態の撮像装置では、レンズ鏡筒３とフロントケース１との間に防止シール２が配置された構成としているため、防水シール２の圧縮率を周方向において略均等にすることが可能となり、優れた防止性能を得ることができる。
【００４０】
また、本実施形態の撮像装置は、回転規制部の構成の一例として、突起部１ａと切欠部３ｃとを有する構成としているため、簡易な構成によって、フロントケース１に対してレンズ鏡筒３が光軸に対して回転することを防止することができる。
【００４１】
また、本実施形態の撮像装置では、突起部１ａが円筒状になっているため、突起部１ａと切欠部３ｃとが安定的に当接する構成とすることができるため、フロントケース１に対するレンズ鏡筒３の回転を抑制しやすい構成にすることができる。
【００４２】
また、本実施形態の撮像装置では、レンズ鏡筒３とフロントケース１の開口部の嵌合位置の中心（光軸）と突起部１ａとを結んだ直線に垂直な直線であって、突起部１ａの中心から延びる直線が切欠部３ｃの縁部と接する２点において、突起部１ａと切欠部３ｃとが接する。
【００４３】
＜２．補足事項＞
以上、本発明の実施形態についての具体的な説明を行った。上記説明では、あくまで一実施形態としての説明であって、本発明の範囲はこの一実施形態に留まらず、当業者が把握可能な範囲にまで広く解釈されるものである。
【００４４】
実施形態の撮像装置において、第１基板４１と第２基板４２との位置関係は任意であり、第２基板４２が第１基板４１よりも光軸方向前方に位置する構成であっても良い。また、第１基板４１及び第２基板４２に加え、さらに別の基板を備える構成としても良い。
【００４５】
また、フロントケース１及びリアケース８は、実施形態のような構成に限定されるものではない。例えば、フロントケース１が光軸方向に略垂直な平面を形成する板状部材で、リアケース８が光軸方向に略垂直な平面を形成する板状部材と、板状部材の外縁部から光軸方向前方に突出した側面を有するなどの形状であっても良い。つまり、フロントケース１とリアケース８とは、連結されることで筐体（ケース）を形成する任意の形状を採用可能である。また、フロントケース１及びリアケース８は、樹脂以外の素材で形成されても良い。
【００４６】
また、レンズ鏡筒３は、必ずしもレンズフランジ３ｂを有する構成とする必要はない。この場合、レンズ鏡筒３が、切欠部３ｃなどの当接部を有する構成とする。
【産業上の利用可能性】
【００４７】
本発明は、車載用の撮像装置などとして好適に利用される。
【符号の説明】
【００４８】
１…フロントケース
１ａ…突起部
２…防水シール
３…レンズ鏡筒
３ａ…レンズ
３ｂ…レンズフランジ
３ｃ…切欠部
４１…第１基板
４２…第２基板
４２ａ…端子
４３…撮像素子
５１〜５３…連結具
６…シールドプレート
７…防水シール
８…リアケース
９…コネクタ
【図１】
2018173433.tif 000003
【図２】
2018173433.tif 000004
【図３】
2018173433.tif 000005
【図４】
2018173433.tif 000006
【図５】
2018173433.tif 000007
【図６】
2018173433.tif 000008